(57)【要約】【課題】低コストで再編集を行うことなく再生中の系統の番組素材を別の系統の番組素材に切り替え得る番組サーバ装置を提供する。【解決手段】メモリ１１２に記録されている複数系統の番組素材データ（素材Ａ，素材Ｂ）それぞれを系統別にデコーダ１１６，１１７によってベースバンドの番組素材信号に復号しておき、切替器１１８によって切替指示が入力されたときに出力中の素材Ａの復号出力を待機中の素材Ｂの復号出力に切り替えるようにしている。【選択図】      図２
2008072645.tif 000002
【特許請求の範囲】
【請求項１】
記録媒体に記録され符号化された複数系統の番組素材データのうち１系統の番組素材データを選択的にベースバンドの番組素材信号に再生し出力する番組サーバ装置において、
各系統ごとに設けられ、前記記録媒体から読み出された番組素材データを番組素材信号に復号する復号手段と、
各系統の復号出力を取り込み、切替指示入力に応じて出力系統の切り替えを行う切替手段とを具備したことを特徴とする番組サーバ装置。
【請求項２】
記録媒体に記録され符号化された複数系統の番組素材データのうち１系統の番組素材データを選択的にベースバンドの番組素材信号に再生し出力する番組素材再生方法において、
各系統ごとに、前記記録媒体から読み出された番組素材データを番組素材信号に復号し、
各系統の復号出力を取り込み、切替指示入力に応じて出力系統の切り替えを行うことを特徴とする番組素材再生方法。
【発明の詳細な説明】
【技術分野】
【０００１】
この発明は、例えば放送番組で使用する複数系統の映像／音声等の素材（コンテンツ）のうち１系統の素材を選択的にベースバンドの映像／音声信号に再生し出力する番組サーバ装置及び番組素材再生方法に関する。
【背景技術】
【０００２】
周知のように、例えばＴＶ放送やラジオ放送の番組素材を送出する番組送出システムにあっては、番組素材を記録し、任意のタイミングで番組素材を再生するビデオサーバが使用されている。
【０００３】
ところで、このようなシステムでは、放送波により放送すべき番組素材をＶＴＲ（Video Tape Recorder）等の映像用編集装置により編集し、この編集した番組素材をビデオサーバに転送して記録するようにしている。
【０００４】
ところが、上記システムでは、ビデオサーバへの記録後の番組素材にノイズ等が見つかったり、途中で別の番組素材を挟みたい場合に、映像用編集装置による再編集が必要となり、多くの手間と時間がかかる。
【０００５】
なお、従来では、現用系のビデオサーバと予備系のビデオサーバとを備え、各系のビデオサーバで再生される番組素材の切り替えを行う技術が考えられている（例えば、特許文献１）。
【特許文献１】特開２００１−３５１２８４公報
【発明の開示】
【発明が解決しようとする課題】
【０００６】
ところが、上記技術では、現用系のビデオサーバと予備系のビデオサーバとを用意する分設備コストがかかるとともに、設置スペースも多く必要とする。
【０００７】
そこで、この発明の目的は、低コストで再編集を行うことなく再生中の系統の番組素材を別の系統の番組素材に切り替え得る番組サーバ装置及び番組素材再生方法を提供することにある。
【課題を解決するための手段】
【０００８】
上記目的を達成するために、この発明に係わる番組サーバ装置は、記録媒体に記録され符号化された複数系統の番組素材データのうち１系統の番組素材データを選択的にベースバンドの番組素材信号に再生し出力する番組サーバ装置において、各系統ごとに設けられ、記録媒体から読み出された番組素材データを番組素材信号に復号する復号手段と、各系統の復号出力を取り込み、切替指示入力に応じて出力系統の切り替えを行う切替手段とを備えるようにしたものである。
【０００９】
この構成によれば、記録媒体中の複数系統の番組素材データそれぞれを系統別にベースバンドの番組素材信号に復号しておき、切替指示入力に応じて出力中の番組素材信号を待機中の番組素材信号に切り替えるようにしている。
【００１０】
従って、１台の装置で再生素材の差替え機能を実現できるので、低コストで再編集を行うことなく再生中の系統の番組素材を別の系統の番組素材に切り替えることが可能となる。
【発明の効果】
【００１１】
以上詳述したようにこの発明によれば、低コストで再編集を行うことなく再生中の系統の番組素材を別の系統の番組素材に切り替え得る番組サーバ装置及び番組素材再生方法を提供することができる。
【発明を実施するための最良の形態】
【００１２】
以下、この発明の実施形態について図面を参照して詳細に説明する。
【００１３】
図１は、この発明の一実施形態となる番組素材編集システムの構成を示すもので、１１はビデオサーバである。なお、ここでは説明を簡単にするため、ビデオサーバ１１の入力チャンネル（系統）数を１チャンネルとし、出力チャンネル数を１チャンネルとする。
【００１４】
この実施形態では、ビデオサーバ１１の入力チャンネルにＶＴＲやＤＶＤ(Digital Versatile Disk)レコーダといった入力機器１２を接続している。
【００１５】
上記ビデオサーバ１１及び入力機器１２は、制御ＬＡＮ(Local Area Network)１３を介して端末装置１４に接続される。
【００１６】
上記端末装置１４は、入力機器１２に対し、ユーザ指定入力操作による制御コマンドに従って任意の映像素材及び任意の音声素材を送出させ、ビデオサーバ１１に対し記録開始制御及び再生開始制御を行う。なお、制御コマンドには、いつ実行するかの旨を示すタイミング情報が含まれている。
【００１７】
図２は、上記ビデオサーバ１１の概略構成を示すブロック図である。
【００１８】
ビデオサーバ１１において、データバス１１１上にはメモリ１１２、エンコーダ１１３、ＬＡＮインタフェース１１４、ＣＰＵ１１５、デコーダ１１６，１１７が接続される。ここで、メモリ１１２には、エンコーダ１１３により圧縮符号化された複数の番組素材データ（ここでは、２系統の素材Ａ，素材Ｂを示す）が格納されている。
【００１９】
ＬＡＮインタフェース１１４には、端末装置１４からの制御コマンドと自動番組送出制御装置（図示せず）からの再生指令が入力される。この再生指令には、放送イベント時刻や送出すべき素材ＩＤが含まれている。
【００２０】
ＣＰＵ１１５は、ＬＡＮインタフェース１１４に入力された制御コマンドに基づいて、メモリ１１２から該当する複数の番組素材データを読み出し、デコーダ１１６，１１７に入力する。これらデコーダ１１６，１１７の復号出力は、ＣＰＵ１１５からの切替指示に応じて、切替器１１８によって選択的に導出される。
【００２１】
次に、上記構成における処理動作について説明する。図３は、端末装置１４の制御処理手順を示すフローチャートである。  
ビデオサーバ１１に対し番組素材の記録を行なう場合にオペレータは、端末装置１４を起動する。このとき、ビデオサーバ１１及び入力機器１２は電源ＯＮの状態であるものとする。
【００２２】
すると、端末装置１４は、入力機器１２に記録されている映像素材／音声素材のリストをディスプレイ１４１に表示する（ステップＳＴ３ａ）。そして、この状態でオペレータがビデオサーバ１１への記録を希望する映像素材／音声素材をキーボード／マウス１４２により選択指定すると、端末装置１４は、ステップＳＴ３ｂからステップＳＴ３ｃに移行してここで上記選択指定された２種類の素材Ａ，素材Ｂが記録される入力機器１２に対し再生開始の制御コマンドを送出し、ビデオサーバ１１に対し収録開始の制御コマンドを送出する。
【００２３】
これにより、ビデオサーバ１１のメモリ１１２に素材Ａ、素材Ｂが記録される。
【００２４】
ビデオサーバ１１では、端末装置１４からの制御コマンドもしくは自動番組送出制御装置からの再生指令により、メモリ１１２に記録された素材Ａ、素材Ｂを読み出し、それぞれ対応するデコーダ１１６，１１７に入力してこれらデコーダ１１６，１１７の復号出力を切替器１１８に入力する。ここでは、素材Ａが切替器１１８により切替導出されているものとする。
【００２５】
ＣＰＵ１１５では、端末装置１４により切替指示信号が与えられると、切替器１１８を素材Ａの復号出力から素材Ｂの復号出力に切り替える。すると、図４に示すように、ビデオサーバ１１から素材Ａに素材Ｂが差し替えられたオンエアー出力が得られる。
【００２６】
使用方法としては、  
Ａ素材は一気に記録したいが、途中でＡの代わりにＢ素材を挟みたい  
Ａをビデオサーバ１１に記録したが一瞬ノイズ等の傷があり、別途記録した正常部分Ｂと差し替えたい
ＶＴＲテープ搬入時期のズレにより、後追いでＢを記録し、編集無しで差し替えたい  
などがある。
【００２７】
以上のように上記実施形態では、ビデオサーバ１１において、メモリ１１２に記録されている複数系統の番組素材データ（素材Ａ，素材Ｂ）それぞれを系統別にデコーダ１１６，１１７によってベースバンドの番組素材信号に復号しておき、切替器１１８によって切替指示が入力されたときに出力中の素材Ａの復号出力を待機中の素材Ｂの復号出力に切り替えるようにしている。
【００２８】
従って、１台のビデオサーバ１１で再生素材の差替え機能を実現できるので、低コストで再編集を行うことなく再生中の系統の素材Ａを別の系統の素材Ｂに差し替えることができる。
【００２９】
なお、この発明は上記実施形態に限定されるものではない。例えば、上記実施形態では、２つの素材Ａ，Ｂの差替えを行う例について説明したが、さらに差し替える番組素材の数を増加しても同様に実施可能である。
【００３０】
その他、番組素材編集システムの構成、ビデオサーバの構成、番組素材の差替手順等についても、この発明の要旨を逸脱しない範囲で種々変形して実施できる。
【図面の簡単な説明】
【００３１】
【図１】この発明の一実施形態となる番組素材編集システムの構成を示すブロック図。
【図２】図１に示したビデオサーバの要部構成を示すブロック図。
【図３】図１に示した端末装置の制御手順を示すフローチャート。
【図４】同実施形態において、再生中の番組素材が別の番組素材に差し替えられた状態を説明するために示す図。
【符号の説明】
【００３２】
１１…ビデオサーバ、１２…入力機器、１３…制御ＬＡＮ、１４…端末装置、１１１…データバス、１１２…メモリ、１１３…エンコーダ、１１４…ＬＡＮインタフェース、１１５…ＣＰＵ、１１６，１１７…デコーダ、１１８…切替器、１４１…ディスプレイ、１４２…キーボード／マウス。
【図１】
2008072645.tif 000003
【図２】
2008072645.tif 000004
【図３】
2008072645.tif 000005
【図４】
2008072645.tif 000006